【手続補正書】
【提出日】平成23年1月14日(2011.1.14)
【手続補正１】
【補正対象書類名】特許請求の範囲
【補正対象項目名】全文
【補正方法】変更
【補正の内容】
【特許請求の範囲】
【請求項１】
自己の識別情報を無線信号により送出する少なくとも１つのネット家電を遠隔操作するための遠隔操作装置であって、
前記遠隔操作の対象とするネット家電から送出される前記無線信号を受信する信号受信部と、
前記ネット家電が接続された通信ネットワークに接続する通信ネットワーク接続部と、
所定の操作が行われるときに前記信号受信部により前記ネット家電の識別情報が受信されるとき、当該識別情報が示すネット家電を、前記通信ネットワークを介して遠隔操作する遠隔操作部と、を有し、
前記所定の操作は、第１の操作と第２の操作とを含み、
前記遠隔操作部は、
前記第１の操作が行われるときに受信される識別情報が示す第１のネット家電に対して、第１の動作を要求し、
前記第２の操作が行われるときに受信される識別情報が示す第２のネット家電に対して、前記第１の動作とは異なる第２の動作を要求する、
遠隔操作装置。
【請求項２】
前記第１の動作は、前記第１のネット家電が保持するコンテンツ本体にアクセスするためのアクセス用情報を返信する動作であり、前記第２の動作は、前記第２のネット家電が前記アクセス用情報に基づいて前記コンテンツ本体を取得する動作である、
請求項１記載の遠隔操作装置。
【請求項３】
前記識別情報は、前記通信ネットワークにおけるアドレスであり、
前記遠隔操作部は、
前記通信ネットワークを介して、前記第１の動作および前記第２の動作を要求する、
請求項１記載の遠隔操作装置。
【請求項４】
前記第１のネット家電の前記第１の動作以外の動作、または前記第２のネット家電の前記第２の動作以外の動作を制御する機器動作制御部、を更に有する、
請求項１記載の遠隔操作装置。
【請求項５】
当該装置の外形を成す棒状の筐体、を更に有し、
前記信号受信部は、
その軸方向を前記筐体の長手方向に一致させて、前記筐体の先端に配置され、前記受信信号を吸収する素材で内面を覆われた柱状の穴と、
前記穴の底部に配置され、前記受信信号を受信する素子と、を有する、
請求項１記載の遠隔操作装置。
【請求項６】
前記第２の動作は、前記第２のネット家電が前記アクセス用情報に基づいて取得した前記コンテンツ本体を、表示または記録する動作を更に含む、
請求項２記載の遠隔操作装置。
【請求項７】
請求項１記載の遠隔操作装置によって操作されるネット家電であって、
自装置の識別情報を無線信号により送出する信号送出部と、
通信ネットワークに接続する通信ネットワーク接続部と、
前記通信ネットワークを介して、前記遠隔操作装置から遠隔操作を受ける被遠隔操作部と、
遠隔操作対象のコンテンツを示すグラフィックオブジェクトを表示する映像表示部と、
前記遠隔操作対象のコンテンツを有する他のネット家電の識別情報と前記グラフィックオブジェクトとを記憶する記憶部と、を有し、
前記被遠隔操作部は、
前記遠隔操作装置から、表示中のグラフィックオブジェクトを選択する遠隔操作を受け取ると、前記記憶部に記憶されている、前記遠隔操作により選択されたグラフィックオブジェクトに対応する前記他のネット家電の識別情報を取得し、前記通信ネットワークを介して、前記遠隔操作装置に送信する、
ネット家電。
【請求項８】
自己の識別情報を無線信号により送出する少なくとも１つのネット家電を遠隔操作するための遠隔操作システムであって、
前記遠隔操作の対象とするネット家電から送出される前記無線信号を受信する信号受信部と、通信ネットワークに接続する通信ネットワーク接続部と、第１の操作が行われるときに前記信号受信部により前記ネット家電の識別情報が受信されるとき、当該識別情報が示す第１のネット家電に対して、前記通信ネットワークを介して第１の動作を要求し、第２の操作が行われるときに前記信号受信部により前記ネット家電の識別情報が受信されるとき、当該識別情報が示す第２のネット家電に対して、前記通信ネットワークを介して前記第１の動作とは異なる第２の動作を要求する遠隔操作部と、を有する遠隔操作装置と、
自装置の識別情報を無線信号により送出する信号送出部と、前記通信ネットワークに接続する通信ネットワーク接続部と、遠隔操作対象のコンテンツを示すグラフィックオブジェクトを、所定の場所に所定の形で表示する映像表示部と、前記遠隔操作対象のコンテンツが、他のネット家電が有するコンテンツである場合、前記他のネット家電の識別情報と前記グラフィックオブジェクトとを記憶する記憶部と、前記遠隔操作装置から、表示中のグラフィックオブジェクトを選択する遠隔操作を前記通信ネットワークを介して受け取ると、前記記憶部に記憶されている、前記遠隔操作により選択されたグラフィックオブジェクトに対応する前記他のネット家電の識別情報を取得し、前記通信ネットワークを介して、前記遠隔操作装置に送信する被遠隔操作部と、を有するネット家電と、
を有する遠隔操作システム。
【請求項９】
自己の識別情報を無線信号により送出する少なくとも１つのネット家電を遠隔操作するための遠隔操作方法であって、
所定の操作が行われたとき、前記所定の操作が行われたことを検出するステップと、
前記遠隔操作の対象とするネット家電から送出される前記無線信号を受信する信号受信部において受信される前記ネット家電の識別情報のうち、前記所定の操作が行われたことを検出したときに受信された識別情報が示すネット家電を、当該ネット家電が接続された通信ネットワークを介して遠隔操作するステップと、を有し、
前記所定の操作は、第１の操作と第２の操作とを含み、
前記遠隔操作を行うステップは、
前記第１の操作が行われるときに受信される識別情報が示す第１のネット家電に対して、第１の動作を要求し、
前記第２の操作が行われるときに受信される識別情報が示す第２のネット家電に対して、前記第１の動作とは異なる第２の動作を要求する、
遠隔操作方法。
【手続補正２】
【補正対象書類名】明細書
【補正対象項目名】００１０
【補正方法】変更
【補正の内容】
【００１０】
本発明の一態様に係る遠隔操作装置は、自己の識別情報を無線信号により送出する少なくとも１つのネット家電を遠隔操作するための遠隔操作装置であって、前記遠隔操作の対象とするネット家電から送出される前記無線信号を受信する信号受信部と、前記ネット家電が接続された通信ネットワークに接続する通信ネットワーク接続部と、所定の操作が行われるときに前記信号受信部により前記ネット家電の識別情報が受信されるとき、当該識別情報が示すネット家電を、前記通信ネットワークを介して遠隔操作する遠隔操作部とを有する。
【手続補正３】
【補正対象書類名】明細書
【補正対象項目名】００１１
【補正方法】変更
【補正の内容】
【００１１】
本発明の一態様に係るネット家電は、上記遠隔操作装置によって操作されるネット家電であって、自装置の識別情報を無線信号により送出する信号送出部と、通信ネットワークに接続する通信ネットワーク接続部と、前記通信ネットワークを介して、前記遠隔操作装置から遠隔操作を受ける被遠隔操作部とを有する。
【手続補正４】
【補正対象書類名】明細書
【補正対象項目名】００１２
【補正方法】変更
【補正の内容】
【００１２】
本発明の一態様に係る遠隔操作システムは、自己の識別情報を無線信号により送出する少なくとも１つのネット家電を遠隔操作するための遠隔操作システムであって、前記遠隔操作の対象とするネット家電から送出される前記無線信号を受信する信号受信部と、通信ネットワークに接続する通信ネットワーク接続部と、所定の操作が行われるときに前記信号受信部により前記ネット家電の識別情報が受信されるとき、当該識別情報が示すネット家電に対して、前記通信ネットワークを介して所定の動作を要求する遠隔操作部とを有する遠隔操作装置と、自装置の識別情報を無線信号により送出する信号送出部と、前記通信ネットワークに接続する通信ネットワーク接続部と、前記通信ネットワークを介して受け取った前記遠隔操作装置の要求に従って動作する被遠隔操作部とを有するネット家電とを具備する。
【手続補正５】
【補正対象書類名】明細書
【補正対象項目名】００１３
【補正方法】変更
【補正の内容】
【００１３】
本発明の一態様に係る遠隔操作方法は、自己の識別情報を無線信号により送出する少なくとも１つのネット家電を遠隔操作するための遠隔操作方法であって、所定の操作が行われたとき、前記所定の操作が行われたことを検出するステップと、前記遠隔操作の対象とするネット家電から送出される前記無線信号を受信する信号受信部において受信される前記ネット家電の識別情報のうち、前記所定の操作が行われたことを検出したときに受信された識別情報が示すネット家電を、当該ネット家電が接続された通信ネットワークを介して遠隔操作するステップとを有する。